(57)【要約】【課題】  解決しようとする問題点は、ネギの栽培に適した土壌では、管理機による土寄せで形成した高畝が崩れやすく、また畝頂部に谷間ができてしまう点であり、畝の崩れを防止すると共に畝の頂部中央の谷間を埋めてネギの青化を防止することを目的とする。【解決手段】  畝と畝の間の溝に沿って前進しながら耕耘ロータで土を畝の上に跳ね上げる長ネギ管理機において、畝の上部側面に接する成形板を前記管理機の機体左右に一対設け、成形板はその上部及び後部を弾性板で形成すると共に、前部より後部が機体の外側に張り出るように全体を傾斜して取付け、さらに成形板の畝接触面には機体の前後方向に沿う帯板を成形板の板面より起立して設けた。【選択図】図１
2006204229.tif 000002
【特許請求の範囲】
【請求項１】
畝と畝の間の溝に沿って前進しながら耕耘ロータで土を畝の上に跳ね上げる長ネギ管理機において、
畝の上部側面に接する成形板を前記管理機の機体左右に一対設け、
成形板はその上部及び後部を弾性板で形成すると共に、前部より後部が機体の外側に張り出るように全体を傾斜して取付け、
さらに成形板の畝接触面には機体の前後方向に沿う帯板を成形板の板面より起立して設けてなる長ネギ管理機の畝成形装置。
【請求項２】
前記機体の左右に横方向の固定フレームを突設し、これに沿って移動可能な縦方向の支持フレームを機体左右に設け、この支持フレームに沿って高さ調節可能に前記成形板を取付けてなる請求項１記載の長ネギ管理機の畝成形装置。
【請求項３】
前記帯板の前部と成形板を取付軸を介して連結し、この取付軸を中心に帯板の後部を上下に角度変更可能にしてなる請求項１記載の長ネギ管理機の畝成形装置。
【発明の詳細な説明】
【技術分野】
【０００１】
本発明は、ネギを植えた畝に土寄せをする長ネギ管理機に関するものである。
【背景技術】
【０００２】
ネギの栽培において土寄せは重要な作業の一つである。土寄せ作業は、時期が早すぎるとネギの生育が遅れる反面、遅すぎると軟白部が青くなってしまうため、数回に分けて土寄せを行い、最終的には軟白部と緑葉部との分かれた部分にまで土を盛って軟白部を土で覆う。畝の高さは４０〜５０ｃｍになる。この作業は重労働であり、従来、耕耘ロータを備えた長ネギ管理機などで行なっていた。
【０００３】
ところで、ネギは湿気に弱く、空気をたくさん含む土壌を好むため、ただ土を寄せただけでは畝山が崩れやすく、また風で畝頂部の土が飛散して軟白部が露出し、日に当たって青くなってしまうと商品価値が下がってしまう。また、長ネギ管理機では畝の両脇から土を寄せているため頂部中央に谷間ができやすく、この谷間の部分に光が当ってネギの軟白部が青くなってしまうという問題があった。
【発明の開示】
【発明が解決しようとする課題】
【０００４】
本発明が解決しようとする問題点は、ネギの栽培に適した土壌では、管理機による土寄せで形成した高畝が崩れやすく、また畝の頂部中央に谷間ができてしまう点であり、本発明は畝の崩れを防止すると共に、畝の頂部中央の谷間を埋めてネギの青化を防止することを目的とする。
【課題を解決するための手段】
【０００５】
上記課題を解決するために、請求項１記載のごとく、畝と畝の間の溝に沿って前進しながら耕耘ロータで土を畝の上に跳ね上げる長ネギ管理機において、畝の上部側面に接する成形板を前記管理機の機体左右に一対設け、成形板はその上部及び後部を弾性板で形成すると共に、前部より後部が機体の外側に張り出るように全体を傾斜して取付け、さらに成形板の畝接触面には機体の前後方向に沿う帯板を成形板の板面より起立して設けた。
【０００６】
請求項２記載のごとく、前記機体の左右に横方向の固定フレームを突設し、これに沿って移動可能な縦方向の支持フレームを機体左右に設け、この支持フレームに沿って高さ調節可能に前記成形板を取付けた。
【０００７】
請求項３記載のごとく、前記帯板の前部と成形板を取付軸を介して連結し、この取付軸を中心に帯板の後部を上下に角度変更可能にした。
【発明の効果】
【０００８】
請求項１記載のごとく、機体の左右に成形板を取付け、成形板の上部及び後部を弾性板で形成し、成形板の畝接触面に帯板を起立して設けたことにより、ネギを傷つけることなく耕耘ロータで土寄せをしながら畝の上部側面を押圧して押し固めることで畝土が崩れるのを防ぐことができ、また、帯板によって畝面の土を畝の上部に押し上げて畝の頂部中央の谷間を埋めてネギの青化を防ぐことができる。
【０００９】
請求項２記載のごとく、成形板を横方向の固定フレーム及び縦方向の支持フレームを介して移動可能に取付けたことにより、成形板の幅及び高さを調整して畝の上部側面の適切な位置を押圧することができる。
【００１０】
請求項３記載のごとく、成形板の畝接触面に取付けた帯板を角度変更可能に構成したことにより、この帯板の向きを調節して適切な量の畝土を上方に押上げて畝の頂部中央の谷間を確実に埋めることができる。
【発明を実施するための最良の形態】
【００１１】
本発明の長ネギ管理機について図面を参照して説明する。図１は本発明に係る長ネギ管理機の全体側面図である。
【００１２】
長ネギ管理機１は、機体２にエンジン３を搭載し、このエンジン３によって前後位置に配置された耕耘ロータ４と走行輪５とを駆動して、ハンドル６によって操向する。耕耘ロータ４には、耕土の飛散位置調節のためのカバー７が設けられている。また、機体前方に機体の姿勢を保持する保持輪８が設けられ、保持輪８の高さを変えることで耕耘ロータ４による作業深さを調節することができる。また、機体２の左右側面に支持フレーム１４と、固定フレーム１５と、取付具１６とを介して畝成形装置１０を取付ける。
【００１３】
次に、畝成形装置１０について図２及び図３を参照して説明する。図２は畝成形装置の正面図、図３は畝成形装置の裏面図である。
【００１４】
畝成形装置１０は、畝面を押圧して畝の上部側面を押し固める成形板１１と、成形板１１の畝接触面に取付けられる帯板１２と、成形板１１の上部及び後部に取付けて畝に植えられたネギに当接する弾性板１３と、機体２の左右に突設された固定フレーム１５に取付具１６を介して取付けられる支持フレーム１４とからなる。
【００１５】
成形板１１は、その前端部１１ａで支持フレーム１４に取付けられており、前端部から後端部にかけて外側に張り出るように傾斜する張出し部１１ｂと、張出し部１１ｂの下部に設けられて畝土の崩落を抑える抑え部１１ｃとを備える。支持フレーム１４は成形板１１にボルトとナットによって固定されている。
【００１６】
成形板１１にゴムなどからなる弾性板１３を取付けて上部及び後部へ延出する。また、帯板１２を成形板１１の前端部１１ａに取付ける。帯板１２は一対のボルトとナットを取付軸１９として成形板１１に軸支されており、この取付軸１９を軸として角度変更が可能となっている。
【００１７】
図４は畝成形装置１０を長ネギ管理機１に取付けた実施形態の一例を示す図である。
機体２の左右に突設された横方向の固定フレーム１５に取付具１６を取付ける。取付具１６は、横向きのロッド部１７とこれと直交する筒部１８とを有し、パイプ状の固定フレーム１５にこのロッド部１７を差し込んで取付ける。固定フレーム１５にはねじ穴を設け、ロッド部１７をねじで締めて固定する。また、筒部１８にもねじ穴を設け、支持フレーム１４を挿通して固定する。支持フレーム１４の下端に畝成形装置１０が取付けられる。
【００１８】
本実施例において、外側に張り出して畝面を押圧する畝成形装置１０が畝の抵抗によって回転してしまわないように、筒部１８は六角筒に形成され、それに合わせて支持フレーム１４も六角柱に形成されている。筒部１８の形状は六角筒に限られず、四角筒や楕円など非円形形状であればよい。
【００１９】
図５は畝成形装置の作用図である。
ロッド部１８及び支持フレーム１４の固定位置を調節して畝成形器１０の高さ及び幅を畝に合わせ、畝の上部側面に成形板１１を当てる。成形板１１の畝接触面には帯板１２が取付けられているため、長ネギ管理機１の走行に伴ってこの帯板１２により畝面の土が畝の上部に押上げられ、また、外方向に張り出した成形板１１の張出し部１１ｂによって畝の上部側面を押圧して押し固めると共に畝の頂部中央の谷間を埋める。
【００２０】
上記のごとく構成した長ネギ管理機は以下に述べる効果を奏する。
【００２１】
支持フレーム１４及び固定フレーム１５に沿って上下位置及び左右位置を調整し、成形板１１の高さ及び幅を畝に合わせて畝面に当て、畝の上部側面を押圧して押し固めると共に畝の頂部中央の谷間を埋め、風雨による土の飛散や畝の崩れを防止すると共にネギの青化を防止することができる。
【００２２】
成形板１１の上部及び後部をゴムなどの弾性板１３で形成したことにより、畝に植えられたネギをいためることなく、畝の上部側面を押圧することができる。
【００２３】
成形板１１の畝接触面に帯板１２を取付けたことにより、この帯板１２によって畝面の土を上方へ押上げると共に張出し部１１ｂによって畝の上部側面を押圧することができ、また、帯板１２の取付角度を変更して適切な量の土を供給して畝の頂部中央の谷間を確実に埋めることができる。
【図面の簡単な説明】
【００２４】
【図１】本発明に係る長ネギ管理機の全体側面図。
【図２】畝成形装置の正面図。
【図３】畝成形器の裏面図。
【図４】畝成形器の取付状態を示す図。
【図５】畝成形器の作用図。
【符号の説明】
【００２５】
１    長ネギ管理機
１０  畝成形装置
１１  成形板
１１ａ  前端部
１１ｂ  張出し部
１１ｃ  抑え部
１２  帯板
１３  弾性板
１４  支持フレーム
１５  固定フレーム
１６  取付具
１７  ロッド部
１８  筒部
１９  取付軸
【図２】
2006204229.tif 000003
【図１】
2006204229.tif 000004
【図３】
2006204229.tif 000005
【図４】
2006204229.tif 000006
【図５】
2006204229.tif 000007